(57)【要約】【課題】余白のある任意のサイズの原稿に対し、余白を含む読み取り領域を設定する画像読み取り装置を提供する。【解決手段】原稿を支持する原稿ホルダ２０と、原稿ホルダ２０に支持された原稿Ｍを読み取るイメージセンサと、イメージセンサの出力信号に基づいて読み取り領域を設定する読み取り領域設定手段とを備える画像読み取り装置であって、原稿ホルダ２０は、平坦面を有し平坦面に載置された反射原稿によって少なくとも一部が隠れるパターン３１及び３２が平坦面に形成された原稿マット２５を備え、読み取り領域設定手段は、イメージセンサの出力信号に基づいて認識したパターン３１及び３２の形状に応じて読み取り領域を設定する。【選択図】  図１
2005005940.tif 000002
【特許請求の範囲】
【請求項１】
原稿を支持する原稿ホルダと、
前記原稿ホルダに支持された原稿を読み取るイメージセンサと、
前記イメージセンサの出力信号に基づいて読み取り領域を設定する読み取り領域設定手段とを備える画像読み取り装置であって、
前記原稿ホルダは、平坦面を有し前記平坦面に載置された反射原稿によって少なくとも一部が隠れるパターンが前記平坦面に形成された原稿マットを備え、
前記読み取り領域設定手段は、前記イメージセンサの出力信号に基づいて認識した前記パターンの形状に応じて読み取り領域を設定することを特徴とする画像読み取り装置。
【請求項２】
前記パターンは、副走査方向に延びる前記平坦面の二辺の一方の近傍から他方に向かって延びる第一の線と、主走査方向に延びる前記平坦面の二辺の一方の近傍から他方に向かって延びる第二の線とを有し、
前記読み取り領域設定手段は、前記イメージセンサの出力信号に基づいて前記第一の線上の隠れた領域と露わな領域の境界の位置と前記第二の線の隠れた領域と露わな領域の境界の位置とを検出し、前記第一の線の境界を通り副走査方向に延びる直線と、前記第二の線の境界を通り主走査方向に延びる直線と、原点を通り副走査方向に延びる直線と、前記原点を通り主走査方向に延びる直線とで囲まれる領域を読み取り領域に設定することを特徴とする請求項１に記載の画像読み取り装置。
【請求項３】
前記第一の線と前記第二の線は線分であることを特徴とする請求項２に記載の画像読み取り装置。
【請求項４】
前記第一の線は読み取り原点の近傍から主走査方向軸線に対して傾斜した方向に延びる線分であって、
前記第二の線は読み取り原点の近傍から副走査方向軸線に対して傾斜した方向に延びる線分であることを特徴とする請求項２に記載の画像読み取り装置。
【請求項５】
前記読み取り領域設定手段は、前記原稿マットの平坦面に形成されたパターンの一部に対応する一連のパターンが前記イメージセンサの出力信号に基づいて検出されるとき、検出された一連のパターンの始端に読み取り領域の縁辺が位置するように読み取り領域を設定することを特徴とする請求項１〜４のいずれか一項に記載の画像読み取り装置。
【発明の詳細な説明】
【０００１】
【発明の属する技術分野】
本発明は画像読み取り装置に関する。
【０００２】
【従来の技術】
従来、イメージスキャナ等の画像読み取り装置で原稿サイズを自動判定する技術が知られている（例えば特許文献１参照）。原稿のサイズが例えばＡ系列、Ｂ系列といった用紙規格サイズのいずれであるかを判別する場合、原稿台の所定の位置の濃淡を複数箇所で判定し、その判定結果に基づいて原稿サイズを判定することができる。規格外の任意の用紙サイズを判定する場合、読み取り可能範囲の全体について読み取ったディジタル画像を解析し、その結果に基づいて原稿サイズを判定する。
【０００３】
【特許文献１】
特開平９−１９１３７０号公報
【０００４】
【発明が解決しようとする課題】
しかし、一般に画像読み取り装置の原稿マットの表面は白色であるため、余白のあるプリント写真を読み取る場合、読み取り可能範囲の全体について読み取ったディジタル画像を解析しても、プリント写真の余白と原稿カバーとを区別できない。したがって、従来の画像読み取り装置では、余白のあるプリント写真を余白のある原稿として読み取って余白のあるディジタル画像を作成することができない。
【０００５】
本発明は、この問題を解決するために創作されたものであって、余白のある任意のサイズの原稿に対し、余白を含む読み取り領域を設定する画像読み取り装置を提供することを特徴とする。
【０００６】
【課題を解決するための手段】
上記目的を達成するため、本発明に係る画像読み取り装置は、原稿を支持する原稿ホルダと、前記原稿ホルダに支持された原稿を読み取るイメージセンサと、前記イメージセンサの出力信号に基づいて読み取り領域を設定する読み取り領域設定手段とを備える画像読み取り装置であって、前記原稿ホルダは、平坦面を有し前記平坦面に載置された反射原稿によって少なくとも一部が隠れるパターンが前記平坦面に形成された原稿マットを備え、前記読み取り領域設定手段は、前記イメージセンサの出力信号に基づいて認識した前記パターンの形状に応じて読み取り領域を設定することを特徴とする。反射原稿によって少なくとも一部が隠れるパターンが平坦面に形成された原稿マットに反射原稿が載置された場合、そのパターンの隠れる領域と露わな領域の境界は、原稿の余白の有無に関わらず、紙などの原稿媒体の縁辺に対応する位置になる。したがって、反射原稿によって少なくとも一部が隠れるパターンが平坦面に形成された原稿マットを原稿ホルダに備え、その原稿マットに載置された反射原稿を読み取ったイメージセンサの出力信号に基づいて、そのパターンの形状を認識することにより、原稿の余白の有無に関わらず、原稿媒体の縁辺を検出することができる。すなわち、原稿ホルダに、平坦面を有し前記平坦面に載置された反射原稿によって少なくとも一部が隠れるパターンが前記平坦面に形成された原稿マットを備えることにより、余白のある任意のサイズの原稿に対し、余白を含む読み取り領域を設定することができる。
【０００７】
さらに本発明に係る画像読み取り装置では、前記パターンは、副走査方向に延びる前記平坦面の二辺の一方の近傍から他方に向かって延びる第一の線と、主走査方向に延びる前記平坦面の二辺の一方の近傍から他方に向かって延びる第二の線とを有し、前記読み取り領域設定手段は、前記イメージセンサの出力信号に基づいて前記第一の線上の隠れた領域と露わな領域の境界の位置と前記第二の線の隠れた領域と露わな領域の境界の位置とを検出し、前記第一の線の境界を通り副走査方向に延びる直線と、前記第二の線の境界を通り主走査方向に延びる直線と、原点を通り副走査方向に延びる直線と、前記原点を通り主走査方向に延びる直線とで囲まれる領域を読み取り領域に設定することを特徴とする。副走査方向に延びる平坦面の二辺の一方から他方に向かって延びる第一の線について、イメージセンサの出力信号に基づいて、原稿によって隠れる領域と露わな領域と境界の位置を検出すると、主走査方向について原稿の読み取り領域を設定できる。また、主走査方向に延びる平坦面の二辺の一方から他方に向かって延びる第二の線について、イメージセンサの出力信号に基づいて、原稿によって隠れる領域と露わな領域との境界の位置を検出すると、副走査方向について原稿の読み取り領域を設定できる。
【０００８】
さらに本発明に係る画像読み取り装置では、前記第一の線と前記第二の線は線分であることを特徴とする。第一の線及び第二の線を曲線ではなく、線分にすることで、パターンマッチングに要する処理量を低減できる。
さらに本発明に係る画像読み取り装置では、前記第一の線は読み取り原点の近傍から主走査方向軸線に対して傾斜した方向に延びる線分であって、前記第二の線は読み取り原点の近傍から副走査方向軸線に対して傾斜した方向に延びる線分であることを特徴とする。第一の線及び第二の線を読み取り原点の近傍から二方向に延伸することにより、読み取り原点の位置をユーザに案内することができる。
【０００９】
さらに本発明に係る画像読み取り装置では、前記読み取り領域設定手段は、前記原稿マットの平坦面に形成されたパターンの一部に対応する一連のパターンが前記イメージセンサの出力信号に基づいて検出されるとき、検出された一連のパターンの始端に読み取り領域の縁辺が位置するように読み取り領域を設定することを特徴とする。原稿マットの平坦面に形成されたパターンの一部に対応する一連のパターンが検出されたとき、検出されたパターンの始端の位置から読み取り領域の縁辺を判定することにより、パターンマッチングに要する処理量を低減できる。
【００１０】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。また、本発明は装置の発明として特定できるだけでなく、プログラムの発明としても、そのプログラムを記録した記録媒体の発明としても、方法の発明としても特定することができる。
【００１１】
【発明の実施の形態】
以下、本発明の実施の形態を実施例に基づいて説明する。
図２は、本発明の一実施例に係る画像読み取り装置としてのイメージスキャナ１を示す模式図である。
光学系は、反射原稿用光源１１ａ、ミラー１１ｂ、レンズ１１ｃ、及び透過原稿用光源１１ｄを備える。反射原稿用光源１１ａ及び透過原稿用光源１１ｄはキセノンランプ等の管照明装置から構成されており、その長手方向軸がリニアイメージセンサ１２の長手方向軸と平行に延びる姿勢で配置されている。図２に示す原稿ホルダ２０は反射原稿を支持する原稿ホルダであり、反射原稿用光源１１ａは原稿ホルダ２０を照射し、ミラー１１ｂ及びレンズ１１ｃは図２に示すように反射原稿Ｍの主走査線上の反射光をリニアイメージセンサ１２に到達させる光路Ｔを形成する。透過原稿用光源１１ｄは原稿ホルダを挟んでリニアイメージセンサ１２の逆側に設けられている。原稿ホルダは原稿の種類に応じて交換可能であり、透過原稿の場合は透過原稿用の原稿ホルダに支持されて読み取られる。透過原稿用光源１１ｄは透過原稿用の原稿ホルダを照射し、ミラー１１ｂ及びレンズ１１ｃは透過原稿の主走査線上の透過光をリニアイメージセンサ１２に到達させる光路を形成する。
【００１２】
イメージセンサとしてのリニアイメージセンサ１２は、原稿ホルダ及び原稿の主走査線上を読み取る。具体的には、リニアイメージセンサ１２は図２において紙面垂直方向に直線状に並ぶフォトダイオード等の複数の画素を備え、可視光、赤外光、紫外光などの所定の波長領域の光を光電変換して得られる電荷を一定時間蓄積し、各画素について受光量に相関した出力信号をＣＣＤ（Ｃｈａｒｇｅ  Ｃｏｕｐｌｅｄ
Ｄｅｖｉｃｅ）、ＭＯＳトランジスタスイッチ等を用いて出力する。
【００１３】
副走査駆動部１６は、原稿ホルダ及び原稿に対し主走査線を主走査線に垂直な方向Ｘ（副走査方向）に相対的に移動させる。具体的には、原稿ホルダ２０を搬送する搬送ローラ１６ｂ、搬送ローラと協働して原稿ホルダ２０を狭持して搬送する従動ローラ１６ａ、原稿ホルダ２０を狭持して回転する従動ローラ１６ｃ及び１６ｄ、並びに搬送ローラ１６ｂを回転させるモータ及び歯車列、駆動回路等で構成され本体に収容されている。副走査駆動部１６が搬送ローラ１６ｂを回転させることで原稿ホルダ２０が副走査方向に移動するため２次元画像の走査が可能となる。尚、本実施例では原稿ホルダを搬送することで反射原稿Ｍに対して主走査線を移動させる場合を例に説明するが、リニアイメージセンサ１２をキャリッジに搭載して運搬することで主走査線を反射原稿Ｍに対して移動させるようにしてもよい。
【００１４】
図３は、イメージスキャナ１を示すブロック図である。
主走査駆動部１５は、本体に固定された基板に搭載される。主走査駆動部１５はリニアイメージセンサ１２を駆動するために必要な駆動パルスをリニアイメージセンサ１２に出力する駆動回路である。主走査駆動部１５は、例えば同期信号発生器、駆動用タイミングジェネレータ等から構成される。
【００１５】
アナログフロントエンド（ＡＦＥ）部１３は、アナログ信号処理部、Ａ／Ｄ変換器等から構成される。アナログ信号処理部は、リニアイメージセンサ１２から出力された出力信号に増幅、雑音低減処理等を施して出力する。Ａ／Ｄ変換器は、アナログ信号処理部から出力された出力信号を量子化して所定ビット長のディジタル表現の画素値を画素毎に出力する。
【００１６】
ディジタル画像処理部１４は、ＡＦＥ部１３から出力された画素値に対し、シェーディング補正、ガンマ補正、画素補間法による欠陥画素の補間、ホワイトバランスの補正、画像信号の鮮鋭化等の処理を行ってディジタル画像を作成する。
制御部１７は、ＣＰＵ１７ａ、ＲＯＭ１７ｂ及びＲＡＭ１７ｃを備える。ＣＰＵ１７ａはＲＯＭ１７ｂに記憶されたコンピュータプログラムを実行してイメージスキャナ１の各部を制御する。また、ＣＰＵ１７ａはＲＯＭ１７ｂに記憶されたコンピュータプログラムを実行することで、読み取り領域設定手段としても機能する。ＲＯＭ１７ｂは後述するパターンマッチングを行うための所定のパターンを表すデータ、各種のプログラム、各種のデータなどを記憶しているメモリである。これら各種のプログラムやデータは所定のサーバからネットワークを介してダウンロードして入力してもよいし、図示しないリムーバブルメモリ等のコンピュータ読み取り可能な記憶媒体から読み出して入力してもよい。ＲＡＭ１７ｃはプログラムやデータを一時的に記憶するメモリである。
【００１７】
図１は原稿ホルダ２０を示す模式図であり、図４は図１に示す原稿ホルダ２０のＩ−Ｉ線の断面図である。原稿ホルダ２０は、ホルダ本体２１、原稿マット２５（図４参照）、透明板２２（図４参照）、及びカバー２３（図４参照）を備える。
ホルダ本体２１は、矩形の凹み部２８（図４参照）、白基準板２６及びガイド２７を有する。白基準板２６は反射率の高い白色の板であり、シェーディング補正を行うための白基準データを設定するために設けられている。各画素の白基準データは白基準板２６で反射された反射原稿用光源１１ａの反射光をリニアイメージセンサ１２で受光して設定する。ガイド２７は、原稿ホルダ２０を副走査方向に案内するための溝である。原稿ホルダ２０が副走査駆動部１６によって搬送されるとき、主走査線はガイド２７に対して垂直になる。原稿ホルダ２０は本体に設けられた開口部に、図１に示す白基準板２６側から挿入され、ガイド２７に案内されて副走査方向に搬送される。
【００１８】
原稿マット２５は、スポンジなどの弾性部材とプラスチックなどの樹脂製の白い板部材とで構成されている。板部材の面は平らな面、すなわち平坦面として形成されており、原稿マット２５はホルダ本体２１に形成された矩形の凹み部２８に平坦面が露出するように収容されている。板部材の平坦面、すなわち原稿マット２５の平坦面にはパターンが形成されている。パターンについては後述する。
反射原稿Ｍは図１に示すように凹み部２８の主走査方向に延びる内周壁と副走査方向に延びる内周壁とに当接することによって原稿マット２５上の所定の位置に位置決めされて載置される。
【００１９】
透明板２２は、ガラス板などの透明な部材で形成されている。図４に示すように透明板２２は凹み部２８を覆うように載置される。原稿ホルダ２０は、凹み部２８をガラス板で覆うことによって反射原稿Ｍを支持する。
カバー２３は、図４に示すようにホルダ本体２１に嵌合され、透明板２２を原稿ホルダ２０に固定する。
【００２０】
次に、原稿マット２５に形成されているパターンについて説明する。パターンは、図１に示すように副走査方向に延びる平坦面の二辺３３及び３４の一方から他方に向かって延びる第一の線３１と、主走査方向に延びる平坦面の二辺３５及び３６の一方から他方に向かって延びる第二の線３２とを有している。第一の線３１は、主走査方向軸線４１に対して傾斜した方向に読み取り原点Ｑの近傍から延びる線分である。図示するように第一の線３１の一端は読み取り原点Ｑの近傍に設定され、他端は辺３３に接している。第一の線３１の他端と辺３６との距離は、第一の線３１の読み取り原点Ｑ側の一端と辺３６との距離より離れている。
第一の線３１の他端と辺３６との距離は、具体的には例えば１０ｍｍ程度である。第二の線３２は、副走査方向軸線４２に対して傾斜した方向に読み取り原点Ｑの近傍から延びる線分である。図示するように第二の線３２の一端は読み取り原点Ｑの近傍に設定され、他端は辺３５に接している。第二の線３２の他端と辺３４との距離は、第二の線３２の読み取り原点Ｑ側の一端と辺３４との距離より離れている。第二の線３２の他端と辺３４との距離は、具体的には例えば１０ｍｍ程度である。第一の線３１及び第二の線３２を読み取り原点Ｑの近傍から二方向に延伸すると、読み取り原点Ｑの位置をユーザに案内することができる。パターンは、反射原稿Ｍが原稿エリア２４の内周壁に案内されて所定の位置に位置決めされて平坦面に載置されたとき、図１に示すように破線で示す部分が隠れる。すなわちパターンは、平坦面に載置された反射原稿Ｍによって少なくとも一部が隠れることになる。
【００２１】
次に、原稿マット２５の平坦面に形成されたパターンの一部に対応する一連のパターンについて説明する。
図５は、図１に示す原稿ホルダ２０を読み込んで作成したディジタル画像を示す模式図である。原点Ｖは読み取り原点Ｑに対応するディジタル画像上の原点である。実線５１及び５４は原稿マット２５の平坦面に形成されたパターンの一部に対応する一連のパターンを表している。ここで原稿マット２５の平坦面に形成されたパターンの一部に対応する一連のパターンとは、具体的には原稿マット２５に形成されたパターンのうち反射原稿Ｍに覆われていない領域、すなわち露わな領域を表すディジタル画像上の領域のことをいう。破線５２は原稿マット２５の平坦面に形成されたパターンのうち反射原稿Ｍに覆われている領域、すなわち隠れた領域に対応するパターンを仮想的に表している。一点鎖線５３は予め設定した比較領域を仮想的に表している。比較領域は、原稿が載置されていない状態の原稿ホルダ２０を読み込んで作成したディジタル画像に基づいて、原稿マット２５の平坦面に形成されたパターンを表す領域がその領域内に含まれるように予め設定されている。以降の説明では、主走査方向及び副走査方向に直線上に並ぶ画素の並びのことをラインというものとする。各ラインは、副走査方向に延びるラインについては主走査方向の画素番号、主走査方向に延びるラインについては副走査方向の画素番号によって特定するものとする。尚、本実施例では副走査方向の画素番号のことをライン番号というものとする。
【００２２】
次に、一連のパターンの検出について説明する。一連のパターンは、具体的には例えばディジタル画像上の予め設定した比較領域内で、画素値の低下、所謂エッジが表れるパターンを所定のパターンと比較することにより検出する。所謂パターンマッチングすることにより検出する。
図６（Ａ）は、破線５２を通る主走査方向に平行なあるライン３７の比較領域内の画素値の波形を表すヒストグラムである。破線５２を通るラインの比較領域内の画素値は反射原稿Ｍの反射光の濃淡に応じた値となる。従って、破線部分を通るラインの場合、比較領域内の画素値の波形は一定とはならない。
【００２３】
図６（Ｂ）は、実線５１を通る主走査方向に平行なあるライン３８の比較領域内の画素値の波形を表すヒストグラムである。実線５１を通る主走査方向に平行な任意のラインの比較領域内の画素値の波形は、ある位置までは連続して高く、途中で数画素連続して低下し、再び連続して高くなる波形となる。図６（Ｂ）に示す例の場合、比較領域の主走査方向の幅は１００画素分に相当し、ライン３８の比較領域内の画素値の波形は、１５１番目〜１６０番目の画素までの範囲で小さく、その他の範囲で大きくなっている。この場合、エッジは１５１番目の画素の位置で生じていることになる。
【００２４】
ライン３８を副走査方向に１ライン分ずらしてエッジの位置を検出したとき、１５４番目にエッジが生じたとする。この場合はエッジの位置は１ラインずれる毎に３画素分ずれたことになる。所定のパターンが、”１ラインずれる毎にエッジの生じる位置が３画素分ずれる”というパターンであるとすると、この場合はパターンに一致することになる。しかしながら、一ラインのみでは偶然である可能性も否定できない。このため、所定数のラインで連続して所定のパターンに一致したとき、それら複数のライン上には一連のパターンの一部が存在すると判定する。図５に示すライン番号Ｌ４で特定されるラインは所定数の最後のラインを意味している。読み取り領域を設定するためには一連のパターンの始端さえ検出できればよい。このため一連のパターンであると判定した時点でパターンマッチングを終了し、最初にパターンに一致したラインを一連のパターンの副走査方向の始端と判定する。これにより一連のパターンの副走査方向の始端を、最初にパターンが一致するラインを特定するライン番号Ｌ３として検出できる。副走査方向の始端は、反射原稿Ｍによって隠れる領域と露わな領域との副走査方向の境界の位置でもある。従って反射原稿Ｍによって隠れる領域と露わな領域との副走査方向の境界の位置は、第二の線３２について、リニアイメージセンサ１２の出力信号に基づいて検出されることになる。
【００２５】
実線５４についても実質的に同様である。ただし、実線５４の場合は実線５４を通る主走査方向に平行なライン上の一部の画素の画素値が反射原稿Ｍの反射光の濃淡に応じた値となる。従って実線５４の場合は、ライン上の画素値の波形はある位置までは反射光の濃淡に応じて変化し、途中で数画素連続して低下し、その後に連続して高くなる波形となる。このため実線５４では画素値が数画素連続して低下し、その後に連続して高くなる波形となるとき、画素値が低下する最初の画素をエッジの位置と判別する。エッジが生じるパターンが所定数のラインで連続して所定のパターンに一致したとき、最初にパターンに一致したラインＬ１のエッジを通る主走査方向に垂直なラインを一連のパターンの主走査方向の始端と判定する。図５に示すライン番号Ｌ２で特定されるラインは所定数の最後のラインを意味している。これにより一連のパターンの主走査方向の始端を、最初にパターンが一致するラインＬ１のエッジを通る主走査方向に垂直なラインを特定する画素番号Ｐ１として検出できる。
【００２６】
前述したように第一の線３１及び第二の線３２は曲線ではなく線分である。第一の線３１及び第二の線３２を線分にすると、曲線の場合に比べて処理が簡素になるため、パターンマッチングに要する処理量を低減できる。
次に、読み取り領域を設定する処理について説明する。
図７は、読み取り領域を設定する処理の流れを示すフローチャートである。
【００２７】
Ｓ１０５では、白基準板２６を読み取って画素毎に白基準データを設定する。Ｓ１１０では、プレスキャンを行い、原稿ホルダ２０を読み取ってディジタル画像を作成する。
Ｓ１１５では、プレスキャンにより出力された出力信号に基づいて、原稿マット２５の平坦面に形成されたパターンの一部に対応する一連のパターンの主走査方向の始端を検出する。
【００２８】
Ｓ１２０では、プレスキャンにより出力された出力信号に基づいて、原稿マット２５の平坦面に形成されたパターンの一部に対応する一連のパターンの副走査方向の始端を検出する。
Ｓ１２５では、検出した一連のパターンの始端に読み取り領域の縁辺が位置するように読み取り領域を設定する。具体的には、画素番号Ｐ１で特定される副走査方向に延びるラインと、ライン番号Ｌ３で特定される主走査方向に延びるラインと、原点Ｖ（画素番号Ｐ０、ライン番号Ｌ０）を通り副走査方向に延びるラインＬ０と、原点Ｖを通り主走査方向に延びる画素番号Ｐ０で特定されるラインとで囲まれる領域（画素番号Ｐ０〜画素番号Ｐ１）×（ライン番号Ｌ０〜ライン番号Ｌ３）を読み取り領域に設定する。これにより検出した一連のパターンの始端に読み取り領域の縁辺が位置するように読み取り領域が設定される。従って、第一の線について、イメージセンサの出力信号に基づいて、一連のパターンの主走査方向の始端を検出すると、すなわち反射原稿Ｍによって隠れる領域と露わな領域との境界の位置を検出すると、原稿の読み取り領域の主走査方向を設定できる。同様に、第二の線について、イメージセンサの出力信号に基づいて、反射原稿Ｍによって隠れる領域と露わな領域との境界の位置を検出すると、原稿の読み取り領域の副走査方向を設定できる。また、検出された一連のパターンの始端に読み取り領域の縁辺が位置するように読み取り領域を設定するようにすると、パターンマッチングでは前述したように始端のみを検出すればよくなり、所定数のラインでパターンが一致した時点でパターンマッチングを終了できる。従ってパターンマッチングに要する処理量を低減できる。
【００２９】
Ｓ１３０では、本スキャンを行って原稿ホルダ２０の表面を読み取って画素値を出力し、出力した画素値のうち設定した読み取り領域に含まれる画素値のみを用いてディジタル画像を作成する。
以上説明した本発明の一実施例に係るイメージスキャナ１によると、反射原稿Ｍによって隠れる領域と露わな領域の境界は、反射原稿Ｍの余白の有無に関わらず、反射原稿Ｍの縁辺に対応する位置になる。したがって、余白のある任意のサイズの反射原稿Ｍに対し、余白を含む読み取り領域を設定することができる。
【００３０】
尚、本実施例では第一の線３１が読み取り原点Ｑの近傍から主走査方向軸線４１に対して傾斜した方向に延びる線分であり、第二の線３２が読み取り原点Ｑの近傍から副走査方向軸線４２に対して傾斜した方向に延びる線分である場合を例に説明したが、図８に示すように第一の線３１及び第二の線３２は読み取り原点Ｑから延びるようにしてもよい。また、図９に示すように第一の線３１が副走査方向に延びる平坦面の二辺の一方から他方に向かって傾斜することなく延びるようにし、第二の線３２が主走査方向に延びる平坦面の二辺の一方から他方に向かって傾斜することなく延びるようにしてもよい。
【００３１】
また、第一の線３１及び第二の線３２は曲線であってもよい。
【図面の簡単な説明】
【図１】本発明の一実施例に係る原稿ホルダの模式図である。
【図２】本発明の一実施例に係る画像読み取り装置の模式図である。
【図３】本発明の一実施例に係る画像読み取り装置のブロック図である。
【図４】本発明の一実施例に係る原稿ホルダの断面図である。
【図５】本発明の一実施例に係るディジタル画像を示す模式図である。
【図６】（Ａ）、（Ｂ）は本発明の一実施例に係るヒストグラムである。
【図７】本発明の一実施例に係るフローチャートである。
【図８】本発明の一実施例に係る原稿ホルダの模式図である。
【図９】本発明の一実施例に係る原稿ホルダの模式図である。
【符号の説明】
１  イメージスキャナ、１２  リニアイメージセンサ、１７  制御部（読み取り領域設定手段）、２０  原稿ホルダ、２５  原稿マット、３１  第一の線（パターン）、３２  第二の線（パターン）、Ｍ  反射原稿、Ｖ  原点、Ｑ  読み取り原点
【図１】
2005005940.tif 000003
【図２】
2005005940.tif 000004
【図３】
2005005940.tif 000005
【図４】
2005005940.tif 000006
【図５】
2005005940.tif 000007
【図６】
2005005940.tif 000008
【図７】
2005005940.tif 000009
【図８】
2005005940.tif 000010
【図９】
2005005940.tif 000011